(57)【要約】【課題】デジタルＴＶ信号とアナログＴＶ信号とを受信するのに回路の一部を共用して構成を簡素化し、しかもデジタルＴＶ信号を受信する場合にアンテナ切替による同期はずれを防止したダイバーシティ受信装置を提供する。【解決手段】アンテナ１と第一ミキサ３の間には、アナログＴＶ信号の受信時にアンテナ１のいずれか一つを選択すると共に、選択されたアンテナからの放送信号を特定の第一ミキサ３ａに入力し、デジタルＴＶ信号の受信時に各アンテナ１からの放送信号をそれぞれ各第一ミキサ３に入力するアンテナ切替手段２を設け、特定の第一ミキサ３ａの後段にアナログＴＶ信号を受信するためのアナログ受信部６を設けた。【選択図】        図１
2004208072.tif 000002
【特許請求の範囲】
【請求項１】
特定のアンテナを含む複数のアンテナで受信した放送信号をそれぞれ第一中間周波信号に変換する複数の第一ミキサと、前記第一ミキサからそれぞれ出力される前記第一中間周波信号の位相を相対的に制御すると共に合成するダイバーシティ合成型のデジタル受信部とを備え、前記アンテナと前記第一ミキサとの間には、アナログＴＶ信号の受信時に前記アンテナのいずれか一つを選択すると共に、選択されたアンテナからの放送信号を特定の前記第一ミキサに入力し、デジタルＴＶ信号の受信時に前記各アンテナからの放送信号をそれぞれ前記各第一ミキサに入力するアンテナ切替手段を設け、前記特定の第一ミキサの後段にアナログＴＶ信号を受信するためのアナログ受信部を設けたことを特徴とするダイバーシティ受信装置。
【請求項２】
前記アンテナ切替手段は一つの多入力１出力スイッチ手段と、前記アンテナの数から１を減じた数の単極双投型の１入力２出力スイッチ手段とを有し、前記特定のアンテナを前記多入力１出力スイッチ手段の特定の入力端に接続すると共に残りのアンテナをそれぞれ前記各１入力２出力スイッチ手段の入力端に接続し、前記１入力２出力スイッチ手段の各一方の出力端をそれぞれ前記多入力１出力スイッチ手段の残りの入力端に接続し、前記アナログＴＶ信号の受信時には前記１入力２出力スイッチ手段における各入力端を前記各一方の出力端に接続すると共に、前記多入力１出力スイッチ手段における出力端をいずれかの入力端に接続し、前記デジタルＴＶ信号の受信時には前記多入力１出力スイッチ手段における前記特定の入力端を出力端に接続すると共に、前記１入力２出力スイッチ手段における各入力端を各他方の出力端に接続したことを特徴とする請求項１に記載のダイバーシティ受信装置。
【請求項３】
前記アナログ受信部には前記アナログＴＶ信号の受信状態を検知する受信状態検知手段を設け、前記受信状態検知手段から出力される受信状態検知信号によって切替制御信号を出力する切替制御手段を設け、前記切替制御信号を前記多入力１出力スイッチ手段に入力したことを特徴とする請求項１に記載のダイバーシティ受信装置。
【請求項４】
前記デジタル受信部は前記第一ミキサから出力される前記第一中間周波信号を加算する中間周波加算手段と、前記中間周波加算手段から出力される第一中間周波信号のうちのデジタルＴＶ信号を第二中間周波信号に変換する第二ミキサと、前記第二の中間周波信号を復調するＯＦＤＭ復調手段と、前記各第一ミキサから出力される前記第一中間周波信号の位相を制御する位相制御手段とを有し、前記デジタルＴＶ信号の受信時には前記中間周波加算手段に入力される前記一中間周波信号の互いの位相をほぼ同相としたことを特徴とする請求項１乃至３のいずれかに記載のダイバーシティ受信装置。
【請求項５】
前記位相制御手段は前記第一ミキサに供給される局部発振信号の位相を相対的に制御する移相手段と、前記第二中間周波信号が入力され、前記第二中間周波信号がピーク値に達するまで前記移相手段に移相信号を出力する移相信号発生手段とから構成したことを特徴とする請求項４に記載のダイバーシティ受信装置。
【請求項６】
前記アンテナの数を４とし、前記中間周波加算手段は２対の前記第一ミキサから出力される前記第一中間周波信号を１対毎に加算する第一及び第二の中間周波加算手段と前記第一及び第二の中間周波加算手段から出力される前記第一中間周波信号を加算する第三の中間周波加算手段とからなり、前記第三の中間周波加算手段の後段に前記第二ミキサを設けたことを特徴とする請求項４又は５に記載のダイバーシティ受信装置。
【請求項７】
前記アンテナの数を４とし、前記中間周波加算手段は２対の前記第一ミキサから出力される前記第一中間周波信号を１対毎に加算する第一及び第二の中間周波加算手段を有し、前記第一及び第二の中間周波加算手段の後段にそれぞれ前記第二ミキサを設け、前記各第二ミキサの後段にそれぞれ前記ＯＦＤＭ復調手段を設けたことを特徴とする請求項４又は５に記載のダイバーシティ受信装置。
【請求項８】
前記二つのＯＦＤＭ復調手段から出力されるベースバンド信号同士の位相を比較して移相信号を出力する第二の移相信号発生手段と、前記各ＯＦＤＭ復調手段から出力されるベースバンド信号同士を加算するベースバンド加算手段と、一方の前記ＯＦＤＭ復調手段と前記ベースバンド加算手段との間に介挿された第二の移相手段とを設け、前記第二の移相信号発生手段から出力された前記移相信号を前記第二の移相手段に入力したことを特徴とする請求項７に記載のダイバーシティ受信装置。
【発明の詳細な説明】
【０００１】
【発明の属する技術分野】
この発明は、テレビジョン信号等を受信するダイバーシティ受信装置に関し、特に車載用として好適なダイバーシティ受信装置に関する。
【０００２】
【従来の技術】
図７は例えばアナログＴＶ信号等を受信する従来のダイバーシティ受信装置の構成を示し、複数の受信アンテナ５７と、アンテナ切替部５５と、受信機５６と、受信状態検知回路５３と、切替制御回路５４と、受信機５６から得られる電界強度信号の電界強度を検出する電界強度検出回路５１と、電界強度検出回路５１からの出力信号に基づいて切替閾値を制御する閾値制御回路５２とを有している。
【０００３】
そして、電界強度検出回路５１は、受信機５６から得られる電界強度信号に応じて電界強度を検出して、電界強度信号を閾値制御回路５２に供給する。閾値制御回路５２は、電界強度検出信号に基づいて切替閾値を設定して、閾値設定信号を切替切替制御回路５４の一方の入力に供給する。閾値制御回路５２は、受信電界強度が弱くなるにつれて連続的に切替閾値を上昇させる。
【０００４】
また、受信状態検出回路５３は受信状態を検知して受信状態検知信号を切替制御回路５４の他方の入力に供給する。
切替制御回路５４は、閾値設定信号及び受信状態検知信号に基づいて切替制御信号を生成し、切替制御信号をアンテナ切替部５５に供給する。アンテナ切替部５５は切替制御信号に応じて複数の受信アンテナ５７から択一する（例えば、特許文献１。）。
【０００５】
【特許文献１】
特開平０７−１７０２２０号公報（図１）
【０００６】
一方、図８はデジタルＴＶ信号を受信する従来のダイバーシティ受信装置を示し、複数のアンテナ６１のいずれかがアンテナ切替部６２によって選択され、選択されたアンテナからのデジタルＴＶ信号はチューナ６３で同調をとる。その出力はＩＦ部６４を介して同期再生部６５に送られて、その出力はＯＦＤＭデコーダ６６に加えられる。ＯＦＤＭデコーダ６６の復調出力はＭＰＥＧデコーダ６７に加えられて、これにより得られたビデオ信号で表示部６８に画像が表示される。
【０００７】
ここで、ＯＦＤＭデコーダ６６及びＭＰＥＧデコーダ６７から出力されるエラー率（ＢＥＲ）を制御部６９に入力する。そして、出力されたエラー率が、受信した映像の劣化が始まる時のエラー率（閾値）より大きくなったとき、受信状態が悪化したと判断し、制御部６９はダイバー動作を開始してアンテナ６１の切替を行うためのダイバー制御信号を発生し、この信号をアンテナ切替部６２に与えて、アンテナ６１の切り替えを行うようになっている。
【０００８】
そして、アンテナ切替については、ＯＦＤＭ信号の有効シンボル内でアンテナ切替をすると、データの欠落を招き、再生条件が悪化するので、有効シンボル間に設けられているガードインターバルの受信中で切り替えるようにしている（例えば、特許文献２参照。）。
【０００９】
【特許文献２】
特開２００２−３３６８８号公報（図１）
【００１０】
【発明が解決しようとする課題】
従来は上記のようにアナログＴＶ信号を受信するダイバーシティ受信装置とデジタルＴＶ信号を受信するダイバーシティ受信装置とが独立して構成されていたので、アナログＴＶ信号とデジタルＴＶ信号とを受信する場合には二つのダイバーシティ受信装置が必要となりコスト高になると共に形状的にも大きくなるという欠点があった。
【００１１】
また、デジタルＴＶ信号を受信する図８の構成では、アンテナの切替はガードインターバルの期間で行っているが、ガードインターバルには、自己相関を検出するために有効シンボル内の一部の信号と同じ信号を挿入しているので、アンテナ切替時にガードインターバル内の信号が乱され、自己相関が検出不可能となるおそれがある。その結果、復調時にデジタル信号の同期がとれず受信障害を招くという問題が発生する。
【００１２】
本発明は、デジタルＴＶ信号とアナログＴＶ信号とを受信するのに回路の一部を共用して構成を簡素化し、しかもデジタルＴＶ信号を受信する場合にアンテナ切替による同期はずれを防止したダイバーシティ受信装置を提供することを目的とする。
【００１３】
【課題を解決するための手段】
上記課題に対して、本発明は、特定のアンテナを含む複数のアンテナで受信した放送信号をそれぞれ第一中間周波信号に変換する複数の第一ミキサと、前記第一ミキサからそれぞれ出力される前記第一中間周波信号の位相を相対的に制御すると共に合成するダイバーシティ合成型のデジタル受信部とを備え、前記アンテナと前記第一ミキサとの間には、アナログＴＶ信号の受信時に前記アンテナのいずれか一つを選択すると共に、選択されたアンテナからの放送信号を特定の前記第一ミキサに入力し、デジタルＴＶ信号の受信時に前記各アンテナからの放送信号をそれぞれ前記各第一ミキサに入力するアンテナ切替手段を設け、前記特定の第一ミキサの後段にアナログＴＶ信号を受信するためのアナログ受信部を設けた。
【００１４】
また、前記アンテナ切替手段は一つの多入力１出力スイッチ手段と、前記アンテナの数から１を減じた数の単極双投型の１入力２出力スイッチ手段とを有し、前記特定のアンテナを前記多入力１出力スイッチ手段の特定の入力端に接続すると共に残りのアンテナをそれぞれ前記各１入力２出力スイッチ手段の入力端に接続し、前記１入力２出力スイッチ手段の各一方の出力端をそれぞれ前記多入力１出力スイッチ手段の残りの入力端に接続し、前記アナログＴＶ信号の受信時には前記１入力２出力スイッチ手段における各入力端を前記各一方の出力端に接続すると共に、前記多入力１出力スイッチ手段における出力端をいずれかの入力端に接続し、前記デジタルＴＶ信号の受信時には前記多入力１出力スイッチ手段における前記特定の入力端を出力端に接続すると共に、前記１入力２出力スイッチ手段における各入力端を各他方の出力端に接続した。
【００１５】
また、前記アナログ受信部には前記アナログＴＶ信号の受信状態を検知する受信状態検知手段を設け、前記受信状態検知手段から出力される受信状態検知信号によって切替制御信号を出力する切替制御手段を設け、前記切替制御信号を前記多入力１出力スイッチ手段に入力した。
【００１６】
また、前記デジタル受信部は前記第一ミキサから出力される前記第一中間周波信号を加算する中間周波加算手段と、前記中間周波加算手段から出力される第一中間周波信号のうちのデジタルＴＶ信号を第二中間周波信号に変換する第二ミキサと、前記第二の中間周波信号を復調するＯＦＤＭ復調手段と、前記各第一ミキサから出力される前記第一中間周波信号の位相を制御する位相制御手段とを有し、前記デジタルＴＶ信号の受信時には前記中間周波加算手段に入力される前記一中間周波信号の互いの位相をほぼ同相とした。
【００１７】
また、前記位相制御手段は前記第一ミキサに供給される局部発振信号の位相を相対的に制御する移相手段と、前記第二中間周波信号が入力され、前記第二中間周波信号がピーク値に達するまで前記移相手段に移相信号を出力する移相信号発生手段とから構成した。
【００１８】
また、前記アンテナの数を４とし、前記中間周波加算手段は２対の前記第一ミキサから出力される前記第一中間周波信号を１対毎に加算する第一及び第二の中間周波加算手段と前記第一及び第二の中間周波加算手段から出力される前記第一中間周波信号を加算する第三の中間周波加算手段とからなり、前記第三の中間周波加算手段の後段に前記第二ミキサを設けた。
【００１９】
また、前記アンテナの数を４とし、前記中間周波加算手段は２対の前記第一ミキサから出力される前記第一中間周波信号を１対毎に加算する第一及び第二の中間周波加算手段を有し、前記第一及び第二の中間周波加算手段の後段にそれぞれ前記第二ミキサを設け、前記各第二ミキサの後段にそれぞれ前記ＯＦＤＭ復調手段を設けた。
【００２０】
また、前記二つのＯＦＤＭ復調手段から出力されるベースバンド信号同士の位相を比較して移相信号を出力する第二の移相信号発生手段と、前記各ＯＦＤＭ復調手段から出力されるベースバンド信号同士を加算するベースバンド加算手段と、一方の前記ＯＦＤＭ復調手段と前記ベースバンド加算手段との間に介挿された第二の移相手段とを設け、前記第二の移相信号発生手段から出力された前記移相信号を前記第二の移相手段に入力した。
【００２１】
【発明の実施の形態】
以下、本発明のダイバーシティ受信装置を図面に従って説明する。図１は第一の実施形態の構成を示す回路図、図２はそれに使用される移相信号発生手段の回路図、図３は第二の実施形態の構成を示す回路図、図４はそれに使用される移相信号発生手段の回路図である。
【００２２】
先ず、図１において、一つの特定のアンテナ１ａを含む複数のアンテナ１（この実施形態では４個）はアナログＴＶ信号とデジタルＴＶ信号との２種の放送信号を受信し、アンテナ切替手段２に接続される。アンテナ切替手段２は１個の多入力１出力スイッチ手段（図では４入力１出力）２ａと、アンテナ１の数から１を減じた数の単極双投型の１入力２出力スイッチ手段２ｂ（図では２ｂ１〜２ｂ３の３個）とを有し、特定のアンテナ１ａを多入力１出力スイッチ手段２ａの特定の一つの入力端に接続すると共に残りのアンテナ１をそれぞれ各１入力２出力スイッチ手段２ｂの入力端に接続する。そして、各１入力２出力スイッチ手段２ｂの一方の出力端がそれぞれ多入力１出力スイッチ手段２ａの残りの入力端に接続される。
【００２３】
第一ミキサ３はアンテナ１の数と同じ数（４個）だけ設けられ、多入力１出力スイッチ手段２ａの出力端と１入力２出力スイッチ手段２ｂの各他方の出力端は第一ミキサ３に結合されるが、多入力１出力スイッチ手段２ａの出力端は特定の第一ミキサ３ａに結合され、１入力２出力スイッチ手段２ｂの他方の出力端はそれぞれ残りの第一ミキサ３ｂ〜３ｄに結合される。
【００２４】
そして、アナログＴＶ信号の受信時には、外部からの切替制御信号ＳＷ１によって前記１入力２出力スイッチ手段２ｂにおける各入力端を各一方の出力端に接続し、デジタルＴＶ信号の受信時には多入力１出力スイッチ手段２ａにおける特定の入力端を出力端に接続すると共に、１入力２出力スイッチ手段２ｂにおける各入力端を各他方の出力端に接続する。
【００２５】
各第一ミキサ３には発振器４から局部発振信号が供給されるが、一つのミキサを除いた他のミキサ（たとえば３ａ〜３ｃ）にはそれぞれ第一の移相手段５（５ａ〜５ｃ）を介して供給される。そして、第一ミキサ３に入力された放送信号はそれぞれ第一中間周波信号に変換される。このうち、特定の第一ミキサ３ａから出力される第一中間周波信号がアナログ受信部６に入力される。
【００２６】
アナログ受信部６はアナログＴＶ信号を復調して映像信号及び音声信号を出力する映像／音声復調手段（図示せず）と、アナログＴＶ信号の受信状態を検知する受信状態検知手段６ａを有し、受信状態検知手段６ａから出力される受信状態検知信号は多入力１出力スイッチ手段２ａの切替動作を制御するための切替制御手段７に入力される。切替制御手段７は受信状態検出信号に基づいて切替制御信号ＳＷ２を出力する。これによって、多入力１出力スイッチ手段２ａはアナログＴＶ信号の受信に最適な一つのアンテナ１を選択する。
【００２７】
第一ミキサ３から出力される第一中間周波信号はデジタル受信部８に入力される。デジタル受信部８は第一中間周波信号同士を加算する中間周波加算手段９、第一中間周波信号を第二中間周波信号に変換する第二ミキサ１０、ＯＦＤＭ復調手段１１、誤り訂正手段１２等を有する。
【００２８】
第一ミキサ３は複数の対（図１では２対）にグループ分けされ、一方の対の第一ミキサ３ａ、３ｂからそれぞれ出力された第一中間周波信号は第一の中間周波加算手段９ａによって加算され、他方の対の第一ミキサ３ｃ、３ｄから出力される第一中間周波信号は第二の中間周波加算手段９ｂよって加算される。さらに、第一の中間周波加算手段９ａから出力される第一中間周波信号と第二の中間周波加算手段９ｂから出力される第一中間周波信号が第三の中間周波加算手段９ｃによって加算される。そして加算後の第一中間周波信号は第二ミキサ１０に入力される。
【００２９】
第二ミキサ１０から出力された第二中間周波信号ＩＦ２はＯＦＤＭ復調手段１１によって復調され、ＯＦＤＭ復調手段１１からはデジタルのベースバンド信号が出力される。ベースバンド信号は誤り訂正手段１２よってビットエラーが訂正される。
また、ＯＦＤＭ復調手段１１はデジタルＴＶ信号のスペクトラム歪みを検出してスペクトラム歪み信号Ｓを出力する。そして、第二中間周波信号ＩＦ２（デジタルＴＶ信号）とスペクトラム歪み信号Ｓとが第一の移相信号発生手段１３に入力される。この第一の移相信号発生手段１３と第一の移相手段５とによって位相制御手段１４が構成される。
【００３０】
第一の移相信号発生手段１３は図２に示すように、第二中間周波信号ＩＦ２が入力される電力判定手段１３１と、スペクトラム歪み信号Ｓが入力される歪み判定手段１３２と、移相信号出力手段１３３とを有する。電力判定手段１３１は第二中間周波信号ＩＦ２がピーク値以下の間では制御信号を出力し、歪み判定手段１３２はスペクトラム歪みが所定レベル以上のときに制御信号を出力する。そして、移相信号出力手段１３３は電力判定手段１３１、歪み判定手段１３２のいずれかから制御信号が入力されている間は移相信号Φを出力する。移相信号Φは三つの出力端に順に移相信号Φ１〜Φ３として出力され、移相信号Φ１〜Φ３はそれぞれ第一の移相手段５ａ〜５ｃに入力される。その結果、第一ミキサ３ａ〜３ｃから出力される第一中間周波信号の位相が第一ミキサ３ｄから出力される第一中間周波信号の位相と同相となるように変えられる。
【００３１】
そして、アナログＴＶ信号の受信時には、切替制御信号ＳＷ１によって１入力２出力スイッチ手段２ｂ１〜２ｂ３の各入力端が各一方の出力端に接続される。此によって全てのアンテナ１で受信された放送信号が多入力１出力スイッチ手段２ａに入力される。また、切替制御手段７からの切替制御信号ＳＷ２が多入力１出力スイッチ手段２ａに入力されることで、多入力１出力スイッチ手段２ａは受信状態が最も適切なアンテナを選択する。よって選択されたアンテナからの放送信号が特定の第一ミキサ３ａに入力される。
【００３２】
また、デジタルＴＶ信号の受信時では、切替制御信号ＳＷ１によって１入力２出力スイッチ手段２ｂ１〜２ｂ３の各入力端が各他方の出力端に接続され、また、多入力１出力スイッチ手段２ａの特定の入力端が出力端に接続される。よって、各アンテナ１で受信した放送信号がそれぞれ各第一ミキサ３ａ〜３ｄに入力される。
【００３３】
この結果、第一の移相信号発生手段１３から出力される移相信号によって一方の対の第一ミキサ３ａ、３ｂからそれぞれ出力される第一中間周波信号の位相がほぼ同相となると共に、他方の対の第一ミキサ３ｃ、３ｄからそれぞれ出力される第一中間周波信号の位相がほぼ同相となり、さらに、第一の中間周波加算手段９ａから出力される第一中間周波信号の位相と第二の中間周波加算手段９ｂから出力される第一中間周波信号の位相とがほぼ同相となる。よって、第二中間周波信号ＩＦ２の電力がピークとなる。さらに、スペクトラム歪みも軽減される。
【００３４】
図３に示す第二の実施形態においては、デジタル受信部８と位相制御手段１４との構成が図１に示すものとは異なる。
【００３５】
図３において、各第一ミキサ３には発振器４から局部発振信号が供給されるが、対となる２個の第一ミキサ３ａ、３ｂの一方（３ａ）と、対となる２個のミキサ３ｃ、３ｄの一方（３ｃ）にはそれぞれ第一の移相手段５ａ、５ｃを介して供給される。
【００３６】
一方の対の第一ミキサ３ａ、３ｂからそれぞれ出力される第一中間周波信号は第一の中間周波加算手段９ａよって加算され、他方の対の第一ミキサ３ｃ、３ｄからそれぞれ出力される第一中間周波信号は第二の中間周波加算手段９ｂよって加算される。加算されたそれぞれの第一中間周波信号は第二中間周波信号に変換する第二ミキサ１０ａ、１０ｂに入力される。二つの第二ミキサ１０ａ、１０ｂには別の発振器（図示せず）から局部発振信号が供給されている。
【００３７】
一方の第二ミキサ１０ａから出力された第二中間周波信号は一方のＯＦＤＭ復調手段１１ａによって復調され、また、他方の第二ミキサ１０ｂから出力された第二中間周波信号は他方のＯＦＤＭ復調手段１１ｂによって復調される。ここで、二つの第二ミキサ１０ａ、１０ｂからそれぞれ出力された第二中間周波信号ＩＦ２は第一の移相信号発生手段１３ａ、１３ｂに入力される。さらに、二つのＯＦＤＭ復調手段１１ａ、１１ｂはそれぞれデジタルＴＶ信号のスペクトラム歪みを検出してその検出信号を出力する。そして、スペクトラム歪み信号もそれぞれ第一の移相信号発生手段１３ａ、１３ｂに入力される。
【００３８】
第一の移相信号発生手段１３ａ、１３ｂは同じ構成であり、図４に示すように、第二中間周波信号ＩＦ２が入力される電力判定手段１３ａ１（１３ｂ１）と、スペクトラム歪み検出信号Ｓが入力される歪み判定手段１３ａ２（１３ｂ２）と、移相信号出力手段１３ａ３（１３ｂ３）とを有する。電力判定手段１３ａ１（１３ｂ１）及び歪み判定手段１３ａ２（１３ｂ２）は図２に示すものと同一構成である。そして、電力判定手段１３ａ１（１３ｂ１）は第二中間周波信号がピーク値に達するまで制御信号を出力し、歪み判定手段１３ａ２（１３ｂ２）は歪み信号が所定レベル以下になるまで制御信号を出力する。
【００３９】
そして、移相信号出力手段１３ａ３（１３ｂ３）は電力判定手段１３ａ１（１３ｂ１）、歪み判定手段１３ａ２（１３ｂ２）のいずれかから制御信号が入力されている間は移相信号Φを出力する。移相信号Φはそれぞれ第一の移相手段５ａ、５ｃに入力される。その結果、第一ミキサ３ａ、３ｂから出力される第一中間周波信号の位相が同相となり、第一ミキサ３ｃ、３ｄｄから出力される第一中間周波信号の位相が同相となるように変えられる。上記の第一の移相信号発生手段１３ａと第一の移相手段５ａとによって第一の位相制御手段１４ａが構成され、同様に第一の移相信号発生手段１３ｂと第一の移相手段５ｃとによって第一の位相制御手段１４ｂが構成される。
【００４０】
二つのＯＦＤＭ復調手段１１ａ、１１ｂの各出力端間には第二の移相信号発生手段１５が接続される。第二の移相信号発生手段１５は各ＯＦＤＭ復調手段１１ａ、１１ｂから出力されるベースバンド信号の周波数軸の移相を検出してそれらの差を示す移相信号を出力する。また、一方のＯＦＤＭ復調手段１１ａから出力されるベースバンド信号はベースバンド加算手段１６に入力され、他方のＯＦＤＭ復調手段１１ｂから出力されるベースバンド信号は第二の移相手段１７を介してベースバンド加算手段１６に入力される。そして、第二の移相信号発生手段１５からの移相信号によって第二の移相手段１７が制御され、ベースバンド加算手段１６に入力される二つのベースバンド信号の周波数軸の位相が一致する。
【００４１】
これによって、ベースバンド加算手段１６からはビットエラーの少ないベースバンド信号が出力されるが、ビットエラーが有れば誤り訂正手段１２によって訂正される。
【００４２】
【発明の効果】
以上のように、複数のアンテナで受信した放送信号をそれぞれ第一中間周波信号に変換する複数の第一ミキサと、第一ミキサからそれぞれ出力される第一中間周波信号の位相を相対的に制御すると共に合成するダイバーシティ合成型のデジタル受信部とを備え、アンテナと第一ミキサとの間には、アナログＴＶ信号の受信時にアンテナのいずれか一つを選択すると共に、選択されたアンテナからの放送信号を特定の第一ミキサに入力し、デジタルＴＶ信号の受信時に各アンテナからの放送信号をそれぞれ各第一ミキサに入力するアンテナ切替手段を設け、特定の第一ミキサの後段にアナログＴＶ信号を受信するためのアナログ受信部を設けたので、デジタルＴＶ信号とアナログＴＶ信号とを受信するのに回路の一部を共用して構成を簡素化し、しかもデジタルＴＶ信号を受信する場合にアンテナ切替による同期はずれを防止したダイバーシティ受信装置が構成できる。
【００４３】
また、前記アンテナ切替手段は一つの多入力１出力スイッチ手段と、前記アンテナの数から１を減じた数の単極双投型の１入力２出力スイッチ手段とを有し、アナログＴＶ信号の受信時には１入力２出力スイッチ手段における各入力端を各一方の出力端に接続すると共に、多入力１出力スイッチ手段における出力端をいずれかの入力端に接続し、デジタルＴＶ信号の受信時には多入力１出力スイッチ手段における特定の入力端を出力端に接続すると共に、１入力２出力スイッチ手段における各入力端を各他方の出力端に接続したので、アナログＴＶ信号の受信時にアンテナのいずれか一つを選択すると共に、選択されたアンテナからの放送信号を特定の第一ミキサに入力し、アデジタルＴＶ信号の受信時に各アンテナからの放送信号をそれぞれ各第一ミキサに入力することができる。
【００４４】
また、アナログ受信部にはアナログＴＶ信号の受信状態を検知する受信状態検知手段を設け、受信状態検知手段から出力される受信状態検知信号によって切替制御信号を出力する切替制御手段を設け、切替制御信号を多入力１出力スイッチ手段に入力したので、アナログＴＶ信号の受信時にアンテナのいずれか一つを選択すると共に、選択されたアンテナからの放送信号を特定の第一ミキサに入力することができる。
【００４５】
また、デジタル受信部は第一ミキサから出力される第一中間周波信号を加算する中間周波加算手段と、中間周波加算手段から出力される第一中間周波信号のうちのデジタルＴＶ信号を第二中間周波信号に変換する第二ミキサと、第二の中間周波信号を復調するＯＦＤＭ復調手段と、各第一ミキサから出力される第一中間周波信号の位相を制御する位相制御手段とを有し、デジタルＴＶ信号の受信時には中間周波加算手段に入力される前記一中間周波信号の互いの位相をほぼ同相としたので、デジタルＴＶ信号をダイバーシティ合成できる。
【００４６】
また、位相制御手段は第一ミキサに供給される局部発振信号の位相を相対的に制御する移相手段と、第二中間周波信号が入力され、第二中間周波信号がピーク値に達するまで移相手段に移相信号を出力する移相信号発生手段とから構成したので、第一中間周波信号の各位相を同相にできる。
【００４７】
また、アンテナの数を４とし、中間周波加算手段は２対の第一ミキサから出力される第一中間周波信号を１対毎に加算する第一及び第二の中間周波加算手段と第一及び第二の中間周波加算手段から出力される第一中間周波信号を加算する第三の中間周波加算手段とからなり、第三の中間周波加算手段の後段に第二ミキサを設けたので、デジタル受信部が１系統で構成できる。
【００４８】
また、アンテナの数を４とし、中間周波加算手段は２対の第一ミキサから出力される第一中間周波信号を１対毎に加算する第一及び第二の中間周波加算手段を有し、第一及び第二の中間周波加算手段の後段にそれぞれ第二ミキサを設け、各第二ミキサの後段にそれぞれＯＦＤＭ復調手段を設けたので、２系統のＯＦＤＭ復調手段にそれぞれ入力される第二中間周波信号を最大レベルにできる。
【００４９】
また、二つのＯＦＤＭ復調手段から出力されるベースバンド信号同士の位相を比較して移相信号を出力する第二の移相信号発生手段と、各ＯＦＤＭ復調手段から出力されるベースバンド信号同士を加算するベースバンド加算手段と、一方のＯＦＤＭ復調手段とベースバンド加算手段との間に介挿された第二の移相手段とを設け、第二の移相信号発生手段から出力された移相信号を第二の移相手段に入力したので、ベースバンド加算手段に入力されるベースバンド信号の周波数軸の位相を同相とすることができてビットエラーを少なくできる。
【図面の簡単な説明】
【図１】本発明のダイバーシティ受信装置の第一の実施形態の構成を示す回路図である。
【図２】本発明の第一の実施形態に使用される第一の移相信号発生手段の回路図である。
【図３】本発明のダイバーシティ受信装置の第二の実施形態の構成を示す回路図である。
【図４】本発明の第二の実施形態に使用される第一の移相信号発生手段の回路図である。
【図５】従来のダイバーシティ受信装置の構成を示す回路図である。
【図６】従来のダイバーシティ受信装置の他の構成を示す回路図である。
【符号の説明】
１  アンテナ
２  アンテナ切替手段
２ａ  多入力１出力スイッチ手段
２ｂ  １入力２出力スイッチ手段
３（３ａ〜３ｄ）  第一ミキサ
４  発振器
５（５ａ〜５ｃ）  第一の移相手段
６  アナログ受信部
６ａ  受信状態検知手段
７  切替制御手段
８  デジタル受信部
９  中間周波加算手段
９ａ  第一の中間周波加算手段
９ｂ  第二の中間周波加算手段
９ｃ  第三の中間周波加算手段
１０（１０ａ、１０ｂ）  第二ミキサ
１１（１１ａ、１１ｂ）  ＯＦＤＭ復調手段
１２  誤り訂正手段
１３（１３ａ、１３ｂ）  第一の移相信号発生手段
１４（１４ａ、１４ｂ）  位相制御手段
１５  第二の移相信号発生手段
１６  ベースバンド加算手段
１７  第二の移相手段
Φ（Φ１〜Φ３）  移相信号
ＳＷ１、ＳＷ２  切替制御信号
【図１】
2004208072.tif 000003
【図２】
2004208072.tif 000004
【図３】
2004208072.tif 000005
【図４】
2004208072.tif 000006
【図５】
2004208072.tif 000007
【図６】
2004208072.tif 000008